(57)【要約】【課題】  画像の編集に掛かる処理時間を短縮化させ、フォトムービーの画質劣化を防止する。【解決手段】  フォトムービー出力装置２のシナリオ作成部１０は、シナリオ内で扱うパラメータを、画像編集部１１に入力される画像、および画像編集部１１から出力されるフォトムービー１５の画素数に依存しない単一の画素数に基づいた形式に正規化するパラメータ正規化回路１２を備える。画像編集部１１は、フォトムービー１５の生成時には、正規化したパラメータを用いて、仮想的な画素空間内で画像、およびフォトムービー１５を取り扱う。【選択図】        図１
2005303904.tif 000002
【特許請求の範囲】
【請求項１】
画像の表示形態を規定するシナリオを作成し、作成したシナリオに則って前記画像を編集して、これにより生成されたフォトムービーを出力する方法であって、
前記シナリオ内で扱うパラメータを、前記画像、および前記フォトムービーの画素数に依存しない単一の画素数に基づいた形式に正規化することを特徴とするフォトムービー出力方法。
【請求項２】
前記フォトムービーの生成時には、正規化した前記パラメータを用いて、仮想的な画素空間内で前記画像、および前記フォトムービーを取り扱うことを特徴とする請求項１に記載のフォトムービー出力方法。
【請求項３】
画像の表示形態を規定するシナリオを作成し、作成したシナリオに則って前記画像を編集して、これにより生成されたフォトムービーを出力する方法であって、
前記編集前の前記画像を、前記フォトムービーの出力形式に応じた画素数に正規化することを特徴とするフォトムービー出力方法。
【請求項４】
画像の表示形態を規定するシナリオを作成するシナリオ作成部と、作成したシナリオに則って前記画像を編集して、これにより生成されたフォトムービーを出力する画像編集部とを備えたフォトムービー出力装置において、
前記シナリオ作成部は、前記シナリオ内で扱うパラメータを、前記画像、および前記フォトムービーの画素数に依存しない単一の画素数に基づいた形式に正規化するパラメータ正規化手段を備えたことを特徴とするフォトムービー出力装置。
【請求項５】
前記画像編集部は、前記フォトムービーの生成時には、正規化した前記パラメータを用いて、仮想的な画素空間内で前記画像、および前記フォトムービーを取り扱うことを特徴とする請求項４に記載のフォトムービー出力装置。
【請求項６】
画像の表示形態を規定するシナリオを作成し、作成したシナリオに則って前記画像を編集して、これにより生成されたフォトムービーを出力する装置であって、
前記編集前の前記画像を、前記フォトムービーの出力形式に応じた画素数に正規化する画像正規化手段を備えたことを特徴とするフォトムービー出力装置。
【発明の詳細な説明】
【技術分野】
【０００１】
本発明は、画像の表示形態を規定するシナリオを作成し、作成したシナリオに則って画像を編集して、これにより生成されたフォトムービー（商標）を出力する方法および装置に関する。
【背景技術】
【０００２】
従来、画像の表示形態が規定されたシナリオに則って画像を編集し、これにより生成されたフォトムービーを出力するフォトムービー出力装置が提案されている（特許文献１参照）。このようなフォトムービー出力装置では、ユーザーが製作意図に応じて作成したシナリオに基づいて、画像の選択、変形（拡大・縮小、回転など）、変倍、マスク（画像の一部切り出し、貼り付け）、移動、合成などの各種処理を施し、フォトムービーを生成している。これにより得られたフォトムービーは、フォトムービー出力装置のモニターで鑑賞するのは勿論のこと、ＤＶＤ（Digital Versatile Disk）などの記録媒体に記録したり、プリンタにて印刷出力するなどして楽しむことができる。
【０００３】
【特許文献１】特開平１０−２００８４３号公報
【発明の開示】
【発明が解決しようとする課題】
【０００４】
しかしながら、フォトムービーの元となる画像の画素数は、必ずしも全て一致しているとは限らない。また、フォトムービーの出力先（モニター、ＤＶＤ、プリンタなど）で表現可能な画素数も、同様に一致しない場合が多い。このため、画像を編集する際のデータの取り扱いが煩雑となり、編集に掛かる処理時間が長くなるという問題があった。また、場合によっては、画質劣化を引き起こす変形・変倍処理を繰り返し実行しなければならないので、フォトムービーの画質劣化に繋がるおそれがあった。
【０００５】
本発明は、上記課題を鑑みてなされたものであり、画像の編集に掛かる処理時間を短縮化させることができ、フォトムービーの画質劣化を防止することができるフォトムービー出力方法および装置を提供することを目的とする。
【課題を解決するための手段】
【０００６】
上記目的を達成するために、請求項１に記載の発明は、画像の表示形態を規定するシナリオを作成し、作成したシナリオに則って前記画像を編集して、これにより生成されたフォトムービーを出力する方法であって、前記シナリオ内で扱うパラメータを、前記画像、および前記フォトムービーの画素数に依存しない単一の画素数に基づいた形式に正規化することを特徴とする。
【０００７】
なお、前記フォトムービーの生成時には、正規化した前記パラメータを用いて、仮想的な画素空間内で前記画像、および前記フォトムービーを取り扱う。
【０００８】
請求項３に記載の発明は、画像の表示形態を規定するシナリオを作成し、作成したシナリオに則って前記画像を編集して、これにより生成されたフォトムービーを出力する方法であって、前記編集前の前記画像を、前記フォトムービーの出力形式に応じた画素数に正規化することを特徴とする。
【０００９】
請求項４に記載の発明は、画像の表示形態を規定するシナリオを作成するシナリオ作成部と、作成したシナリオに則って前記画像を編集して、これにより生成されたフォトムービーを出力する画像編集部とを備えたフォトムービー出力装置において、前記シナリオ作成部は、前記シナリオ内で扱うパラメータを、前記画像、および前記フォトムービーの画素数に依存しない単一の画素数に基づいた形式に正規化するパラメータ正規化手段を備えたことを特徴とする。
【００１０】
なお、前記画像編集部は、前記フォトムービーの生成時には、正規化した前記パラメータを用いて、仮想的な画素空間内で前記画像、および前記フォトムービーを取り扱う。
【００１１】
請求項６に記載の発明は、画像の表示形態を規定するシナリオを作成し、作成したシナリオに則って前記画像を編集して、これにより生成されたフォトムービーを出力する装置であって、前記編集前の前記画像を、前記フォトムービーの出力形式に応じた画素数に正規化する画像正規化手段を備えたことを特徴とする。
【発明の効果】
【００１２】
本発明のフォトムービー出力方法および装置によれば、シナリオ作成部のパラメータ正規化手段で、シナリオ内で扱うパラメータを、画像、およびフォトムービーの画素数に依存しない単一の画素数に基づいた形式に正規化し、画像正規化手段で、編集前の画像を、フォトムービーの出力形式に応じた画素数に正規化するので、データを簡単に取り扱え、画像の編集に掛かる処理時間を短縮化させることができる。また、画質劣化を引き起こす変形・変倍処理が１回で済むので、フォトムービーの画質劣化を防止することができる。
【発明を実施するための最良の形態】
【００１３】
図１において、本発明を適用したフォトムービー出力装置２は、シナリオ作成部１０、画像編集部１１などからなる。シナリオ作成部１０は、パラメータ正規化回路１２を備えており、画像の表示形態を規定するシナリオ１３を作成する。シナリオ作成部１０で作成されたシナリオ１３は、複数の画像からなる画像群１４とともに、画像編集部１１に入力される。画像編集部１１は、シナリオ１３に則って画像を編集し、これにより生成されたフォトムービー１５を出力する。なお、画像群１４内の画像は、デジタルカメラやカメラ付き携帯電話などの撮像装置や、写真フイルム、印画紙に記録された画像を光電的に読み取ることにより取得されたデジタル画像、フォトムービー１５の背景画像やマスク画像に用いるテンプレート画像を含む。
【００１４】
図２に示すように、シナリオ１３は、フォトムービー１５を生成するために画像群１４内から選択する画像のファイル名と、階調補正値（輝度、コントラスト、γ補正値）、マスクの有無、変形パラメータ（拡大・縮小倍率、回転）、および移動パラメータ（ＸＹ座標）などの各種パラメータとが、フォトムービー１５の各フレーム毎に指定された形式となっている。なお、フォトムービー１５のフレームレートは、例えば１／６０秒に設定されている。
【００１５】
図１において、パラメータ正規化回路１２は、シナリオ１３内で扱う図２に示す各種パラメータを、画像、およびフォトムービー１５の画素数に依存しない単一の画素数（例えば縦横４０９６×４０９６画素）に基づいた形式に正規化する。これにより、画像編集部１１では、入力された画像と出力するフォトムービー１５とが、同一の画素数の仮想的な画素空間内で取り扱われる。
【００１６】
画素数解析部１６は、画像群１４内の複数の画像の各々の画素数を解析し、この解析結果を画像正規化部１７に送信する。画像正規化部１７は、画素数解析部１６から送信された解析結果を元に、画像群１４内の複数の画像の画素数を、フォトムービー１５の出力形式に応じた画素数に正規化する。すなわち、例えばフォトムービー１５の出力形式がＶＧＡ（Video Graphics Array）サイズであった場合には、画素数が縦７２０×横６４０となるように正規化を行う。
【００１７】
図３に示すように、画像編集部１１は、選択回路２０、２１、階調補正回路２２、変倍処理回路２３、変形処理回路２４、マスク処理回路２５、および移動処理回路２６からなる複数の処理チャンネルＣｈｎ（ｎ＝１、２、３・・・）と、シナリオ解析回路２７と、合成処理回路２８とを備えている。
【００１８】
処理チャンネルＣｈｎは、フォトムービー１５を構成するフレームを１フレームずつ生成するものであり、例えばフォトムービー１５の１シーン（画像の切り替わりやある特殊効果の開始から終了までを区切りとした数秒からなる。）を複数の処理チャンネルＣｈｎで分担して生成する。
【００１９】
選択回路２０、２１は、シナリオ１３で指定されたファイル名の画像、およびテンプレート画像を、画像群１４の中からそれぞれ選択する。階調補正回路２２は、シナリオ１３に記述された階調補正値に基づいて、選択回路２０で選択された画像に対して階調補正を施す。具体例としては、カラー画像を白黒にしたり、セピア色にして古い写真のように見せる特殊効果を与える。
【００２０】
変倍処理回路２３は、選択回路２１で選択されたテンプレート画像に対して変倍処理を施す。変形処理回路２４は、シナリオ１３に記述された変形パラメータに基づいて、画像に対して変形処理を施す。具体例としては、画像の特定部分を拡大・縮小して、あたかもズーム操作を行っているような特殊効果を与える。
【００２１】
マスク処理回路２５は、画像とテンプレート画像に対してマスク処理を施す。具体例としては、特定の模様や文字が描かれたテンプレート画像上に、画像の一部を切り出して貼り付けるなどの処理を行う。移動処理回路２６は、シナリオ１３に記述された移動パラメータに基づいて、画像に対して移動処理を施す。具体例としては、画像を１つの画枠に見立てて、あたかもパン操作を行っているような特殊効果を与える。
【００２２】
ここで、選択回路２０、階調補正回路２２、および変形処理回路２４では、入力される画像の画素数に応じた処理が行われる。選択回路２１、および変倍処理回路２３では、入力されるテンプレート画像の画素数に応じた処理が行われる。変倍処理回路２３、変形処理回路２４、マスク処理回路２５、および移動処理回路２６では、出力するフォトムービー１５の画素数に応じて処理が行われる。変倍処理回路２３、および変形処理回路２４では、テンプレート画像とフォトムービー１５、画像とフォトムービー１５の２つの画素数が混在しているが、仮想的な画素空間内でこれらを取り扱うとともに、実際には画像正規化部１７で単一の画素数に正規化されているので、１度の処理で変倍・変形を施すことができる。
【００２３】
シナリオ解析回路２７は、入力されたシナリオ１３を解析して、入力された画像と出力するフォトムービー１５との画素数に合わせてシナリオ１３の各種パラメータを逆正規化した後、各種パラメータを処理チャンネルＣｈｎ内の各回路２０〜２６に供給する。各回路２０〜２６は、シナリオ解析回路２７から供給された各種パラメータに基づいて、各種処理を実行する。一方、シナリオ１３にパラメータの指定がない場合は、各回路２０〜２６は処理を実行せずに、後段の回路に画像を転送する。
【００２４】
合成処理回路２８は、各処理チャンネルＣｈｎで生成されたフレームを、シナリオ１３の作成時に付与されたタイムスタンプに基づいて、時系列に沿って合成し、フォトムービー１５を生成する。
【００２５】
次に、上記構成による作用について、図４のフローチャートを参照して説明する。まず、シナリオ作成部１０にて、フォトムービー１５を生成するためのシナリオ１３が作成される。このとき、シナリオ１３の各種パラメータは、パラメータ正規化回路１２により、画像、およびフォトムービー１５の画素数に依存しない単一の画素数に基づいた形式に正規化される。また、画像群１４内の複数の画像は、画素数解析部１６で各々の画素数が解析された後、画像正規化部１７でフォトムービー１５の出力形式に応じた画素数に正規化される。
【００２６】
作成されたシナリオ１３は、画像正規化部１７で正規化された画像群１４とともに画像編集部１１に入力される。画像編集部１１では、シナリオ解析回路２７にてシナリオ１３の解析が行われ、入力された画像と出力するフォトムービー１５との画素数に合わせてシナリオ１３の各種パラメータが逆正規化される。
【００２７】
逆正規化された各種パラメータは、処理チャンネルＣｈｎ内の各回路２０〜２６に供給される。各回路２０〜２６では、シナリオ解析回路２７から供給された各種パラメータに基づいて、各種処理が実行される。
【００２８】
合成処理回路２８では、各処理チャンネルＣｈｎで生成されたフレームが、シナリオ１３の作成時に付与されたタイムスタンプに基づいて、時系列に沿って合成され、フォトムービー１５が生成される。生成されたフォトムービー１５は、ＤＶＤレコーダによりＤＶＤに記録される。あるいはプリンタにて１フレーム分が印刷出力される。
【００２９】
上記のような構成であると、画像編集部１１でデータを簡単に取り扱え、画像の編集に掛かる処理時間を短縮化させることができる。また、変形・変倍処理を１度で済ませることができ、フォトムービー１５の画質劣化を防止することができる。
【図面の簡単な説明】
【００３０】
【図１】本発明を適用したフォトムービー出力装置の概略構成を示す図である。
【図２】シナリオの形式を示す説明図である。
【図３】画像編集部の内部構成を示す図である。
【図４】フォトムービーを出力する手順を示すフローチャートである。
【符号の説明】
【００３１】
２  フォトムービー出力装置
１０  シナリオ作成部
１１  画像編集部
１２  正規化回路
１３  シナリオ
１４  画像群
１５  フォトムービー
１７  画像正規化部
２０、２１  選択回路
２２  階調補正回路
２３  変倍処理回路
２４  変形処理回路
２５  マスク処理回路
２６  移動処理回路
２７  シナリオ解析回路
２８  合成処理回路
【図１】
2005303904.tif 000003
【図２】
2005303904.tif 000004
【図３】
2005303904.tif 000005
【図４】
2005303904.tif 000006